(57)【要約】【課題】２条植の落花生株を並行して同時に刈取るとともに、刈取った茎葉束を容易に反転倒立操作ができるコンパクトな構成の２条植落花生用歩行型収穫機を提供する。【解決手段】２条植落花生用歩行型収穫機１は、圃場の畝Ｕを跨いで走行可能な機体４と、この機体４に搭載されて刈取対象の列条植の落花生株Ｐを圃場から引抜いて走行機体の後部上方に向けて傾斜搬送する挟持搬送ベルト装置５ｅを機体平面視で左右並列配置した引抜搬送部５と、その左右の挟持搬送ベルト装置５ｅの搬送終端部からそれぞれ刈取物Ｐを受ける左右の受部材２４と、この左右の受部材２４の内側位置で機体後方に延設した機体操縦用の操縦ハンドル８とから構成する。【選択図】図１
2006075013.tif 000002
【特許請求の範囲】
【請求項１】
圃場の畝を跨いで走行可能な機体（４）と、この機体に搭載されて刈取対象の列条植の落花生株（Ｐ）を圃場から引抜いて走行機体の後部上方に向けて傾斜搬送する２つの挟持搬送ベルト装置（５ｅ，５ｅ）を機体平面視で左右並列配置した引抜搬送部（５）と、その左右の挟持搬送ベルト装置の搬送終端部からそれぞれ刈取物を受ける左右の受部材（２４，２４）と、この左右の受部材の内側位置で機体後方に延設した機体操縦用の操縦ハンドル（８，８）とから構成したことを特徴とする２条植落花生用歩行型収穫機。
【請求項２】
前記操縦ハンドル（８，８）は、機体平面視で前記左右の挟持搬送ベルト装置（５ｅ，５ｅ）の搬送終端部より内側に配置してなることを特徴とする請求項１記載の２条植落花生用歩行型収穫機。
【請求項３】
前記左右の受部材（２４，２４）は、後部を低く傾斜して配置してなることを特徴とする請求項１記載の２条植落花生用歩行型収穫機。
【発明の詳細な説明】
【技術分野】
【０００１】
本発明は、２条植の落花生株を歩行操縦により刈取る落花生収穫作業に適する２条植落花生用歩行型収穫機に関するものである。
【背景技術】
【０００２】
特許文献１に記載の落花生収穫機が知られている。この落花生収穫機は、１条（１列）ずつ収穫する歩行型収穫機であり、２条植の畝の落花生株の刈取については往復の行程を要し、その往行程で片側条を刈取りした後、復行程で残りの条を刈取りする往復動作により植生落花生株を収穫する。引抜いた落花生株は、３〜４株をまとめた束の実が付いている根元の方が上になるようにオペレータが反転操作して倒立姿勢で圃場に順次載置する。このようにして畝上に倒立して置かれた落花生株の束は、天日乾燥した後に別途回収する。
【０００３】
しかし、上記刈取作業における往行程の作業は、隣接する未収穫側の列の落花生株が障害となるので、円滑な収穫作業ができないという問題があり、その解決のために、２条植の落花生株を並行して同時に刈取るとともに、刈取った落花生株を束ねて容易に反転倒置操作ができるコンパクトな構成の歩行型収穫機の開発が待たれていた。
【特許文献１】特開平１１−１９６６４５号公報
【発明の開示】
【発明が解決しようとする課題】
【０００４】
解決しようとする問題点は、２条植の落花生株を並行して同時に刈取るとともに、刈取った落花生株を束ねて容易に反転倒立操作ができるコンパクトな構成の２条植落花生用歩行型収穫機を提供することにある。
【課題を解決するための手段】
【０００５】
請求項１に係る発明の２条植落花生用歩行型収穫機は、圃場の畝を跨いで走行可能な機体と、この機体に搭載されて刈取対象の列条植の落花生株を圃場から引抜いて走行機体の後部上方に向けて傾斜搬送する挟持搬送ベルト装置を機体平面視で左右並列配置した引抜搬送部と、その左右の挟持搬送ベルト装置の搬送終端部からそれぞれ刈取物を受ける左右の受部材と、この左右の受部材の内側位置で機体後方に延設した機体操縦用の操縦ハンドルとから構成したことを特徴とする。
上記引抜搬送部は、挟持搬送ベルト装置によって刈取対象の落花生株を挟持することにより隣接２条分を圃場から引抜いて機体の後部上方向に搬送し、刈取物は搬送終端部からそれぞれ左右の受部材に落下する。
【０００６】
請求項２に係る発明は、請求項１の構成において、前記操縦ハンドルは、機体平面視で前記左右の挟持搬送ベルト装置の搬送終端部より内側に配置してなることを特徴とする。
前記操縦ハンドルは、左右の挟持搬送ベルト装置の搬送終端部より内側に位置することから、搬送終端部から落下する刈取物は受部材上に支障なく落下する。
【０００７】
請求項３に係る発明は、請求項１の構成において、前記左右の受部材は、後ろ下がりに傾斜して配置してなることを特徴とする。
受部材が後ろ下がりに傾斜することから、この受部材に受けた刈取物は、傾斜に沿って機体後側に向かって移動しやすくなる。
【発明の効果】
【０００８】
請求項１に係る２条植落花生用歩行型収穫機により、圃場に植生する落花生株は、隣接２条につき引抜搬送部の左右の引抜き搬送ベルト装置により茎葉部を挟持して引抜かれ、機体の後部上方に搬送され、搬送終端部から落下してこの刈取物を受部材が受ける。オペレータは、操縦ハンドルで歩行操縦しながら受部材上の刈取物を上下反転させ、実のある根元側を上にして地面に倒置することができる。
本発明においては、受部材を操縦ハンドルの両外側に設けることで、複数条の落花生株を同時に収穫できるものでありながら、操縦ハンドルから近い位置で刈取物を反転して地面に倒置することができるので、能率良く収穫作業を進めることができる。また、受部材を操縦ハンドルの両外側に設けることで、左右の受部材を低位置に設けることができるので、落花生収穫機の機体全体の車高を低くコンパクトに構成することができる。
【０００９】
請求項２に係る２条植落花生用歩行型収穫機の左右の操縦ハンドルは、隣接２条の挟持搬送ベルト装置の左右の搬送終端部内側に位置することから、搬送終端部から刈取物が落下する時に操縦ハンドルに当たりにくくなり、受部材上に支障なく落下するので、オペレータによる反転倒置作業が容易となり作業能率を向上することができる。
【００１０】
請求項３に係る２条植落花生用歩行型収穫機は、左右の受部材が後ろ下がりに傾斜することから、この受部材に受けた刈取物は、傾斜に沿って機体後側に向かって移動しやすくなるので、オペレータによる反転倒置作業が容易となる。
【発明を実施するための最良の形態】
【００１１】
本発明の実施の形態について、以下に図面に基づいて詳細に説明する。
２条植落花生用歩行型収穫機（以下において、単に「収穫機」という）の側面図および平面図をそれぞれ図１、図２に示す。収穫機１は、畝Ｕを跨ぐように左右の前輪２，２と左右の後輪３，３とを備えて直進走行可能にフレーム構成した機体４について、列条植の落花生株Ｐの茎葉部を挟持して引抜くとともに機体後部上方に搬送する引抜搬送部５、その前側で落花生株Ｐの茎葉部を所定高さに切り揃える先葉カッタ６および根切り用の左右のソイラ７，７、機体後部に延びる左右の操縦ハンドル８，８等を備えて構成される。
【００１２】
機体４は、エンジン１１と一体に構成した伝動機ケース１２の両側端に後輪伝動部１３，１３を介して左右の後輪３，３を支持し、また、伝動機ケース１２の両側部から前側に延びる左右のサイドフレーム１４，１４を備え、この左右のサイドフレーム１４，１４に前輪支軸１５，１５を取付けるとともに、それぞれの前端部から立ち上がり機体全幅に及ぶ門型フレーム１６を先葉カッタ６と一体にフレームを構成する。また、機体中央には伝動機ケース１２から前側に延びる不図示のセンターフレームを備える。
【００１３】
引抜搬送部５は、隣接２条分の左右の挟持搬送ベルト装置５ｅ，５ｅにより構成され、各挟持搬送ベルト装置５ｅ，５ｅは、収穫するべき２条植の落花生株Ｐのそれぞれの植生位置を中心として左右対称に配置したベースフレーム５ｆ、５ｆによって左右のベルト２１，２１を近接対向して支持し、かつ、左右に開いて配置した前プーリ２２，２２によって落花生株Ｐの茎葉部を取り込み、後端を搬送終端部として構成する。この搬送終端部の近傍には、伝動機ケース１２から計４ヶ所で分岐伝動する搬送伝動部２３…を設けて近接対向する左右のベルト２１，２１をそれぞれ駆動するとともに各ベースフレーム５ｆ、５ｆを傾斜位置に支持する。また、引抜搬送部５の後半部の下方には、搬送終端部から落下した刈取物を受ける左右の受部材２４，２４を左右の挟持搬送ベルト装置５ｅ，５ｅの傾斜に沿って取付ける。この受部材２４，２４は、受けた刈取物が機体後側に反転移動しやすくなるように、後部を緩やかに逆傾斜してシュータ状に形成する。
【００１４】
先葉カッタ６は、畝Ｕに植生された落花生株Ｐの子房柄（地中の実部と連結する柄、落下茎ともいう）より上位の株幅全体に及ぶ高さ位置で茎葉部の頂部を切り揃えるべく、機体全幅に及ぶバリカン構造の切断手段であり、上下位置調節可能にハンドル６ｈ等を備えて門型フレーム１６と一体に構成し、または、門型フレーム１６に取付ける。左右のソイラ７，７は、それぞれ左右のサイドフレーム１４，１４から畝Ｕの土壌中に延びて対応する側の条の落花生株Ｐの根切りをするべき範囲に高さ位置調節可能に屈曲形成する。左右の操縦ハンドル８，８は、左右の受部材２４，２４に刈取物を受ける際に邪魔にならないように、左右の搬送終端部の幅寸法内に構成する。
【００１５】
上記構成の収穫機１により、引抜搬送部５が圃場に植生する落花生株Ｐの茎葉部を挟持して引抜きつつ機体後部上方に搬送し、搬送終端部から落下した刈取物を受部材２４，２４に受ける。オペレータは、操縦ハンドル８，８で歩行操縦しながら受部材２４，２４上の刈取物を数株をまとめて上下反転させ、実が付いている根元側を上にして倒立姿勢の落花生株Ｐを地面に載置することができる。この場合において、ソイラ７，７が落花生株Ｐの根を切るとともに、その茎葉頂部を先葉カッタ６が切り揃えることから、引抜きが容易となり、かつ、反転姿勢の落花生株Ｐの束が地面に安定して倒置される。
【００１６】
本発明においては、受部材２４，２４を操縦ハンドル８，８の両外側に設けることで、複数条の落花生株Ｐを同時に収穫できるものでありながら、操縦ハンドル８，８から近い位置で落花生株Ｐを反転して地面に倒置することができるので、能率良く収穫作業を進めることができる。また、受部材２４，２４を操縦ハンドル８，８の両外側に設けることで、受部材２４，２４を低位置に設けることができるので、落花生収穫機１の機体全体の車高を低くコンパクトに構成することができる。
【００１７】
上記操縦ハンドル８，８が左右の挟持搬送ベルト装置５ｅ，５ｅの搬送終端部の幅寸法内配置の場合は、搬送終端側から刈取物が落下する時に操縦ハンドル８，８に当たりにくくなり、受部材２４，２４上に支障なく落下することから、オペレータによる反転倒置作業が容易となり作業能率を向上することができる。さらに、受部材２４，２４が後ろ下がりに傾斜することにより、この受部材２４，２４に受けた刈取物は、傾斜に沿って機体後側に向かって移動しやすくなるので、オペレータによる反転倒置作業が容易となる。
【００１８】
次に、収穫機の別の構成例について説明する。以下において、前記同様の部材はその符号を付すことによって説明を省略する。
収穫機３１の側面図および平面図をそれぞれ図３、図４に示す。収穫機３１は、伝動機ケース１２の両側端から前傾して立ち上がって機体全幅に及ぶ門型伝動部３２を備える。この門型伝動部３２から、図５の伝動系統展開図に示すように、計４ヶ所で分岐伝動する搬送伝動部３３…を設けて各挟持搬送ベルト装置５ｅ，５ｅについて左右のベルト２１，２１をそれぞれ駆動するとともに各ベースフレーム５ｆ、５ｆの後部を門型伝動部３２の下方の所定高さ位置、すなわち、刈取物が引抜搬送部５によって通過しうる高さ位置に吊下げ支持する。左右のサイドフレーム１４，１４の前部を連結する門型フレーム１６には、計４ヶ所の支持材３４…を介して各ベースフレーム５ｆ、５ｆの前部を上記所定高さ位置に吊下げ支持するとともに、機体全幅に及ぶ先葉カッタ６を高さ位置を調節可能に取付ける。
上述の構成とすることにより、左右の挟持搬送ベルト装置５ｅ，５ｅの上方にその伝動系が配置されていることから、下方を広く確保することができるので、豆がスムーズに通過することができる。
【００１９】
機体中央線位置には、畝Ｕ上の刈取るべき落花生株Ｐ，Ｐを条毎に左右に分けるブレード状の分草ガイド３５を機体前方に突出して中央分離板３５ｃと一体に取付ける。分草ガイド３５は、先葉カッタ６より低い範囲で十分であることから門型フレーム１６の高さ範囲に形成し、中央分離板３５ｃは、左右の挟持搬送ベルト装置５ｅ，５ｅより上で門型フレーム１６および門型伝動部３２の高さ範囲に形成することにより、左右２条の刈取物を分離して搬送をガイドすることができる。また、左右の挟持搬送ベルト装置５ｅ，５ｅの下方まで中央分離板３５ｃを延ばして形成することにより、圃場から引抜いた刈取物の根元側を左右の条ごとに確実に分離して分豆しやすくすることができる。
【００２０】
前輪支持部の構成については、図６の斜視図に示すように、幅広に形成した左右のサイドフレーム１４，１４に貫通して、または側面に沿ってそれぞれボス１５ｅ、１５ｅを取付け、これら左右のボス１５ｅ、１５ｅに前輪支軸１５，１５をピン固定することにより、特段の取付部材を要することなく、左右の前輪２，２を高さ位置調節可能に取付けることができる。
【００２１】
刈取物の泥落としについては、収穫機要部の側面図および平面図をそれぞれ図７、図８に示すように、左右の挟持搬送ベルト装置５ｅ，５ｅの下方の搬送経路中を横断する位置に構成した回転アーム装置４１により行う。この回転アーム装置４１は、センタフレームに設けた伝動部４１ｔにより左右の回動軸４２、４２を支持し、豆殻より軟質の弾性材料による複数の可撓腕４３…を半径方向に突設して構成する。左右の回動軸４２、４２は、搬送中の刈取物の根を持ち上げる方向に可撓腕４３…を回動することにより、刈取物の姿勢を乱すことなく、かつ、豆殻を損傷することなく干渉して付着泥土を払い落とすことができる。
【図面の簡単な説明】
【００２２】
【図１】２条植落花生用歩行型収穫機の側面図である。
【図２】図１の収穫機の平面図である。
【図３】他の構成例による２条植落花生用歩行型収穫機の側面図である。
【図４】図３の収穫機の平面図である。
【図５】門型伝動部の伝動系統展開図である。
【図６】前輪支持部の斜視図である。
【図７】収穫機要部の側面図である。
【図８】図７の収穫機要部の平面図である。
【符号の説明】
【００２３】
１    収穫機（２条植落花生用歩行型収穫機）
２    前輪
３    後輪
４    機体
５    引抜搬送部
５ｅ    挟持搬送ベルト装置
６    先葉カッタ
８    操縦ハンドル
１２    伝動機ケース
１４    サイドフレーム
１６    門型フレーム
２３    搬送伝動部
２４    受部材
３１    収穫機（２条植落花生用歩行型収穫機）
３２    門型伝動部
３３    搬送伝動部
Ｐ    落花生株
Ｕ    畝
【図１】
2006075013.tif 000003
【図２】
2006075013.tif 000004
【図３】
2006075013.tif 000005
【図４】
2006075013.tif 000006
【図５】
2006075013.tif 000007
【図６】
2006075013.tif 000008
【図７】
2006075013.tif 000009
【図８】
2006075013.tif 000010